(57)【要約】      （修正有）【課題】見る角度に影響されずに、額装している絵画、写真等の額装物を正確かつ明確に鑑賞することが可能であるとともに、耐熱性、耐衝撃性を備えたパネルを提供する。【解決手段】複数本の長尺状のフレーム材を四角形状に枠組みすることにより形成されるフレーム２と、フレーム２内に支持される裏板４と、該裏板４の正面側に重ね合わされる配置で、フレーム２内に支持される、裏板４とともに、写真、絵画等の額装物を挟み込むための透明体３と、を具備する。透明体３として、ＵＶカット機能を備えたポリカーボネートフィルムの表面に凹凸処理を施して低反射機能を発揮可能としたものを用いる。【選択図】図１
0003169509.tif 000002
【実用新案登録請求の範囲】
【請求項１】
複数本の長尺状のフレーム材を略多角形状に枠組みすることにより形成されるフレーム（２）と、
該フレーム（２）内に支持される裏板（４）と、
該裏板（４）の正面側に重ね合わされる配置で、前記フレーム（２）内に支持される、前記裏板（４）とともに、写真、絵画等の額装物を挟み込むための透明体（３）と、を具備するパネル（１）において、
前記透明体（３）として、低反射機能を発揮可能なポリカーボネートフィルムを用いたことを特徴とするパネル。
【請求項２】
前記透明体（３）がＵＶカット機能を備えたポリカーボネートフィルムの表面に凹凸処理を施して低反射機能を発揮可能としたものであることを特徴とする請求項１に記載のパネル。
【考案の詳細な説明】
【技術分野】
【０００１】
本考案は、略四角形状に枠組みされたフレームとこのフレームの内周に支持された透明体及び裏板とを備え、絵画、写真等の額装物を額装して掲示するためのパネルに係り、より詳しくは、透明体が光を乱反射してしまい、見る角度によって額装している絵画、写真等の額装物が見えづらくなることを有効に防止可能としたパネルの改良に関する。
【背景技術】
【０００２】
従来から、絵画、写真等の額装物を壁等に飾るためのものとしてパネルが提供されている。そして、このパネルは一般的に、複数本の長尺状のフレーム材を四角形状に枠組みすることにより形成されるフレームを有しており、このフレームの内周側には、額装する絵画、写真等を裏面から支持するための裏板が係止されている。
【０００３】
また、裏板の正面側には、裏板に重ねられる配置で透明体が、フレームの内周側に係止されており、裏板と透明体とで絵画、写真等を挟み込み、この状態において、更に、裏板をフレームに固定するためにフレームの裏面に備えたトンボ等の裏板押え具を回動して裏板を押さえることにより、裏板、透明体をフレーム内周に固定し、これによって、フレームの内周に絵画、写真等を額装可能としている。
【０００４】
ここで、一般的にパネルにおける透明体は、額装する絵画、写真等を保護しつつ裏板とともにフレームの内周に支持するために用いられているが、そのとき透明体は、額装する絵画、写真等の正面側に配置されるために、額装している絵画、写真等を鑑賞可能でなければならないので、透明な樹脂フィルムやガラス等が用いられる。
【０００５】
その一方、特に樹脂フィルム等の場合には、蛍光灯の光や、自然光が乱反射してしまうために、見る角度によっては、額装している絵画、写真等が見えづらいという問題点が指摘されている。
【０００６】
そのために、本考案者は過去において、パネルを湾曲させて、これにより当たった光の乱反射を防止する方法を提案したが、パネルを湾曲させた場合には、当然、額装している絵画、写真等もパネルの内周側で変形してしまうため、特に高額の絵画、写真等である場合には価値が下がってしまうことも考えられ、更に、絵画、写真等を正確に見ることができなくなってしまうことも考えられる。
【０００７】
そこで、本考案者は、このような問題点を解決する方法として、ＵＶカット用再生ＰＥＴフィルムの表面に凹凸処理を施して低反射機能を発揮可能としたものを透明体として用いて、透明体に当たった光の反射を低反射にして、額装している絵画、写真等が見えづらくなることを防止可能として、これにより、パネルを変形させることなく、見る角度に影響されずに、額装している絵画、写真等を正確かつ明確に鑑賞することが可能なパネルを提案した。
【先行技術文献】
【特許文献】
【０００８】
【特許文献１】実用新案登録第３０９６４４３号公報
【特許文献２】実用新案登録第３１６０３７５号公報
【考案の概要】
【考案が解決しようとする課題】
【０００９】
このように、ＵＶカット用再生ＰＥＴフィルムの表面に凹凸処理を施して低反射機能を発揮可能としたものを透明体として用いることで、パネルを変形させることなく、見る角度に影響されずに、額装している絵画、写真等を正確かつ明確に鑑賞することが可能となるが、その一方、ＰＥＴフィルムでは、一般的なフィルムに比べると強度、耐熱性が優れてはいるが、それでも、熱や衝撃に弱いという問題点は避けられない。
【００１０】
そこで、本考案は、見る角度に影響されずに、額装している絵画、写真等を正確かつ明確に鑑賞することが可能であるとともに、耐熱性、耐衝撃性に優れたパネルを提供することを課題としている。
【課題を解決するための手段】
【００１１】
本考案のパネルは、
複数本の長尺状のフレーム材を略多角形状に枠組みすることにより形成されるフレームと、
該フレーム内に支持される裏板と、
該裏板の正面側に重ね合わされる配置で、前記フレーム内に支持される、前記裏板とともに、写真、絵画等の額装物を挟み込むための透明体と、を具備するパネルにおいて、
前記透明体として、低反射機能を発揮可能なポリカーボネートフィルムを用いたことを特徴としている。
【考案の効果】
【００１２】
本考案のパネルでは、低反射機能を発揮可能なポリカーボネートフィルムを透明体として用いているために、これによって、パネルを変形させることなく、透明体に当たった光の反射を低反射にし、額装している絵画、写真等が見えづらくなることを防止可能である。
【００１３】
また、ポリカーボネートは耐衝撃性、耐熱性、難燃性を有しているために、本考案のパネルでは、見る角度に影響されずに額装している絵画、写真等を正確かつ明確に鑑賞することが可能であるほか、耐熱性、耐衝撃性に優れたパネルを得ることが可能である。
【００１４】
従って、本考案のパネルでは、パネルを変形させることなく、見る角度に影響されずに、額装している絵画、写真等を正確かつ明確に鑑賞することが可能であるとともに、耐熱性、耐衝撃性に優れたパネルを得ることが可能である。
【図面の簡単な説明】
【００１５】
【図１】本考案のパネルの実施例の正面を示す断面図である。
【図２】本考案のパネルの実施例の裏面を示す断面図である。
【図３】図１におけるＡ−Ａ線断面図である。
【考案を実施するための形態】
【００１６】
本考案のパネルでは、長尺状のフレーム材を四角形状に枠組みすることによってフレームが形成されている。
【００１７】
そして、このフレームの内周側には、額装する絵画、写真等を裏面から支持するための裏板が支持されている。
【００１８】
また、前記フレーム内において前記裏板の正面側には、裏板に重ね合わされる配置で透明体が支持されており、この透明体と前記裏板とで絵画、写真等を挟みこむことによって、パネルに絵画、写真等を額装可能としている。
【００１９】
そして、本考案においては、前記透明体として、低反射機能を発揮可能なポリカーボネートフィルムを用いている。
【００２０】
ここで、前記透明体として用いる低反射機能を発揮可能なポリカーボネートフィルムとしては、低反射を発揮可能なポリカーボネートフィルムであれば何れでも良いが、特に、ＵＶカット機能を備えたポリカーボネートフィルムの表面に凹凸処理を施して低反射機能を発揮可能としたものを用いるとよい。
【実施例１】
【００２１】
本考案のパネルの実施例について図面を参照して説明すると、図１は、本実施例のパネルの正面図であり、また、図２は本実施例のパネルの背面図であり、更に図３は、図１におけるＡ−Ａ線断面構造を拡大して示した図であり、図において１が本実施例のパネルである。また、図１、３において５は、パネル１に額装した絵画、写真等の額装物である。
【００２２】
そして、本実施例のパネル１は、図に示すように、全体として略四角形状としている。即ち、本実施例のパネル１では、４本の長尺状のフレーム材を略四角形状に枠組みすることによりフレーム２が形成されている。
【００２３】
そして、このフレーム２の内周には、裏板４および透明体３が支持され、この裏板４と透明体３間に絵画、写真等の額装物５を挟み込むとともに、前記フレーム２に回動自在に装着した、「とんぼ」といわれる係止部材８を回動することで裏板４をフレーム２に係止することによって、パネル１に絵画、写真等５を額装可能としている。
【００２４】
ここで、図３において、前記フレーム２には、その裏面において、内周側全域に亘って段差状の載置部２０１が形成されており、この載置部２０１上に、透明体３および裏板４の周縁部を載置可能としている。
【００２５】
そして、前記載置部２０１上に透明体３の周縁部を載置するとともに、この透明体３に重ね合わせるような配置で、裏板４の周縁部を前記載置部２０１上に載置して、更に、裏板４をとんぼ等の係止部材８でフレーム２に係止して、これによりフレーム２内に裏板４および透明体３を支持可能としている。そして、絵画、写真等の額装に際しては、透明体３と裏板４間に写真、絵画等５を挟み込むこととしている。
【００２６】
次に、本実施例のパネル１において前記透明体３は、低反射機能を発揮可能なポリカーボネートフィルムを用いており、より詳しくは、ＵＶカット機能を備えたポリカーボネートフィルムの表面に凹凸処理を施して低反発機能を発揮可能としたフィルムを用いて構成されており、これによって、透明体３の表面に当たった光の反射を低反射にして、見る角度によって額装している絵画、写真等が見えづらくなることを防止している。
【００２７】
即ち、近年、透明性、耐衝撃性、耐熱性及び難燃性に優れるとともに、その性能の高さに比べて安価であるポリカーボネートフィルムが提供されており、また、フィルム製造工程でＵＶカット材を配合して、紫外線の透過率を抑えて掲示物の紫外線劣化を少なくする効果を発揮するＵＶカットフィルムが提供されているが、本考案者は、これらのポリカーボネートフィルムやＵＶカットフィルムの存在に着目して、フィルム製造工程でＵＶカット材を配合してＵＶカット機能を備えたポリカーボネートフィルムを用いて、このポリカーボネートフィルムの表面に凹凸処理を施して、これによって低反射機能を発揮可能なフィルムにしたものを、パネルの透明体に用いることとした。
【００２８】
そのため、本実施例のパネル１では、紫外線の透過率を抑えて額装物の紫外線劣化を少なくすることができ、更に、フィルムの表面に凹凸処理を施して低反射機能を発揮可能にしているため、当たった光を乱反射させて表面の反射を抑え、それによって額装物を見やすくすることができ、見る角度によって額装している絵画、写真等が見えづらくなることを有効に防止できるため、特に、パネルを変形させることなく、見る角度に影響されずに、額装している絵画、写真等を正確かつ明確に鑑賞することが可能なパネルを得ることが可能である。
【００２９】
また、透明体としてポリカーボネートフィルムを用いているために、耐熱性、耐衝撃性、及び難燃性に優れるとともに、その性能の高さに比べてコストを抑えることが可能なパネルを得ることが可能である。
【００３０】
なお、ポリカーボネートフィルムの表面に凹凸処理を施した場合には、光を乱反射させて表面の反射を抑えて額装物を見やすくする効果、即ち、フィルムが低反射になる効果がある反面、透過率が悪くなり額装物の鮮明度が落ちるという欠点があるが、パネルにおいては、透明体と額装物が密着されるために、使用上は問題になることがない。
【００３１】
次に、このように構成される本実施例のパネルの使用方法及び作用について説明すると、本実施例のパネルで絵画、写真等を額装する場合には、トンボ等の係止部材８を回動し、これによって、裏板４をフレーム２に対してフリーな状態にした後に、裏板４をフレーム２の内周から取り外す。
【００３２】
そしてその後に、透明体３の裏面側に、額装する絵画、写真等を重ね合わせて、その状態において、前記裏板４を、透明体３とともに絵画、写真等を挟み込むような配置にして、フレーム２の内周に支持し、その状態で、前記係止部材８を回動して裏板４をフレーム２に係止するのみでよく、これによって、パネル１に絵画、写真等５を額装することができる。
【００３３】
そしてこの状態において、蛍光灯の光や自然光が透明体３の表面に当たった場合には、本実施例のパネル１では、透明体３として、ＵＶカット機能を備えたポリカーボネートフィルムの表面に凹凸処理を施して低反射機能を発揮可能としたものを用いているために、透明体３に当たった光が乱反射して表面の反射を抑えて額装物を見やすくすることができる。
【００３４】
従って、本実施例のパネルでは、見る角度によって額装している絵画、写真等が見えづらくなることを有効に防止でき、特に、パネルを変形させることなく、見る角度に影響されずに、額装している絵画、写真等を正確かつ明確に鑑賞することが可能なパネルを得ることが可能である。
【００３５】
また、本実施例のパネル１では、紫外線の透過率を抑えて額装物の紫外線劣化を少なくすることができ、更に、額装している絵画、写真等は透明体に密着されるため、鮮明度が大きく落ちることも無い。
【００３６】
更に、本実施例のパネル１では、ポリカーボネートフィルムを用いているために、耐熱性、耐衝撃性、及び難燃性に優れるとともに、その性能の高さに比べてコストを抑えることが可能である。
【００３７】
このように、本実施例のパネル１では、裏板とともに絵画、写真等を保護しつつフレーム内に支持するための透明体として、ＵＶカット機能を備えたポリカーボネートフィルムの表面に凹凸処理を施して低反射機能を発揮可能としたものを用いているために、パネルを変形させることなく、見る角度に影響されずに、額装している絵画、写真等を正確かつ明確に鑑賞することが可能であるとともに、耐熱性、耐衝撃性に優れ、更に、紫外線の透過率を抑えて額装物の紫外線劣化を少なくすることもできる。
【産業上の利用可能性】
【００３８】
本考案のパネルでは、ＵＶカット機能を備えたポリカーボネートフィルムの表面に凹凸処理を施して低反射機能を発揮可能としたものを透明体として用いて、これによって、透明体に当たった光が乱反射して額装した絵画、写真等が見えづらくなることを防止したことを特徴にするとともに耐熱性、耐衝撃性に優れたものにしているために、とんぼ等の係止手段によって裏板をフレームに係止する、いわゆる一般的なパネルの他に、フレーム自体を回動して写真、絵画等を収納可能なフロントオープン式のパネル等の、絵画、写真、賞状等を額装して掲示するパネルの全般に適用可能である。
【符号の説明】
【００３９】
１    パネル
２    フレーム
２０１    載置部
３    裏板
４    透明体
５    絵画等
８    係止部材（「とんぼ」）
【図１】
0003169509.tif 000003
【図２】
0003169509.tif 000004
【図３】
0003169509.tif 000005